(57)【特許請求の範囲】
【請求項１】
屋根板のはぜ部に固定され、太陽電池モジュールを取り付けるための太陽電池モジュール取付金具において、
前記はぜ部の上方に配置され、角孔である第１の孔が形成された内側ベース部、及び該内側ベース部に設けられ、外側から加えられた力により先端部が閉じて前記はぜ部を挟み込む挟持部を有し、前記内側ベース部及び前記挟持部が一体に形成された内側金具と、
前記内側ベース部の上方に設けられ、前記太陽電池モジュールのフレームを支持し、第２の孔が形成された外側ベース部、及び該外側ベース部に設けられ、前記挟持部の外側に接触して前記力を発生する接触部を有する外側金具と、を備え、
前記内側ベース部及び前記外側ベース部が互いに近づく方向に力を発生する締結体によって、前記はぜ部に固定され、
前記締結体が、前記第１の孔から前記第２の孔に向かって挿入される角根ボルト及び該角根ボルトに対応するナットを有することを特徴とする太陽電池モジュール取付金具。
【請求項２】
請求項１記載の太陽電池モジュール取付金具において、
前記挟持部は、前記内側ベース部から先端に向かうに従って互いの間隔が徐々に広くなる２枚の側板、及び該各側板の先端の縁部が内側に折り曲げられて形成された挟持板とを有し、該挟持板の先端の端面が前記はぜ部に接触することを特徴とする太陽電池モジュール取付金具。
【請求項３】
請求項１又は２記載の太陽電池モジュール取付金具において、
前記外側金具は、前記接触部の先端に、外側に突出し、前記屋根板に接触する接地部を更に有することを特徴とする太陽電池モジュール取付金具。
【請求項４】
請求項１〜３のいずれか１項に記載の太陽電池モジュール取付金具において、
前記外側ベース部の上に載り、前記角根ボルトが貫通する第３の孔が形成され、前記ナットによって該外側ベース部に固定され、前記太陽電池モジュールのフレームを位置決めするための第１の位置決め部が形成された位置決め金具を更に有することを特徴とする太陽電池モジュール取付金具。
【請求項５】
請求項１〜３のいずれか１項に記載の太陽電池モジュール取付金具において、
前記外側ベース部に、前記太陽電池モジュールのフレームを位置決めするための第２の位置決め部が形成されたことを特徴とする太陽電池モジュール取付金具。
【請求項６】
請求項１〜３のいずれか１項に記載の太陽電池モジュール取付金具において、
前記太陽電池モジュールのフレームを上から押さえる押さえ金具を更に有し、
前記押さえ金具に、前記角根ボルトが貫通する第４の孔が形成されていることを特徴とする太陽電池モジュール取付金具。
【請求項７】
屋根板から突出した突起部に固定され、該屋根板上に設置される設置物を固定するための固定具において、
前記突起部の上方に配置され、角孔である第１の孔が形成された内側ベース部、及び該内側ベース部に設けられ、外側から加えられた力により先端部が閉じて前記突起部を挟み込む挟持部を有し、前記内側ベース部及び前記挟持部が一体に形成された内側金具と、
前記内側ベース部の上方に設けられ、第２の孔が形成された外側ベース部、及び該外側ベース部に設けられ、前記挟持部の外側に接触して前記力を発生する接触部を有する外側金具と、を備え、
前記内側ベース部及び前記外側ベース部が互いに近づく方向に力を発生する締結体によって、前記突起部に固定され、
前記締結体が、前記第１の孔から前記第２の孔に向かって挿入される角根ボルト及び該角根ボルトに対応するナットを有することを特徴とする固定具。
【発明の詳細な説明】
【技術分野】
【０００１】
本発明は、太陽電池モジュールを屋根に取り付けるための太陽電池モジュール取付金具及び設置物を屋根に固定するための固定具に関する。
【背景技術】
【０００２】
特許文献１には、金属製の挟持金具を２つ用いた金属屋根用取付け金具が記載されている。各挟持金具は、基端板部と段差部と先端板部とで構成され、段差部の中央部に先端板部と基端板部とにそれぞれ延びる長穴と、この長穴から段差部に沿って一方の側面縁に至る切り溝が形成された緩い前方傾斜状の上板部と、上下方向に延びる補助用のリブが形成された急傾斜状の背板部と、先端両側に起立状の押さえ片が形成された幅狭な底板部とが一体構成されている。
この金属屋根用取付け金具においては、上板部を交差状に相対向させて、相手の切り溝内に一方の切り溝を差し込む。そして、互いの先端板部が相手の基端板部の下側に配して長穴をそれぞれ一致させ、この一致させた長穴に下方からボルトを通し、これにボルト止めを介装させて座金付きナットを螺合して２つの挟持金具が一体構成される。
【０００３】
特許文献２には、上面及び２つの側面を有する固定部材、固定部材の２つの側面の外側にそれぞれ接するように配置される２つの可動部材、並びに２つの可動部材を固定部材に固定するボルトとナットを有し、折板屋根の山部に固定される太陽電池モジュール取付金具が記載されている。
固定部材は、上面に太陽電池モジュールを固定する固定用ボルトが挿入される孔が設けられ、２つの側面にはボルトが挿入される孔がそれぞれ設けられ、上面と２つの側面とによって形成される２つのコーナー部分を切り欠いて設けた孔が設けられている。
可動部材は、ボルトが挿入される縦長の孔が設けられ、上端が側面の方に折り曲げられて挿入部が形成され、折板屋根の山部の側面に形成された凹部と係合する凸部が下方に形成されている。
可動部材の挿入部を固定部材のコーナー部分の孔に挿入して２つの可動部材を固定部材に取り付け、ボルトを可動部材の縦長の孔及び固定部材の側面の孔に挿入して、太陽電池モジュールを仮組した状態で、２つの可動部材は挿入部のコーナー部分の孔と接する箇所を中心に、固定部材から離れる方向にそれぞれ回転可能であり、ボルトとナットを締め付けると、２つの可動部材は固定部材に固定され、２つの可動部材の凸部が折板屋根の山部の側面の凹部と係合して、折板屋根の山部に固定される。
【先行技術文献】
【特許文献】
【０００４】
【特許文献１】特許第３３６８３７４号公報
【特許文献２】実用新案登録第３１６９２５７号公報
【発明の概要】
【発明が解決しようとする課題】
【０００５】
ここで一般に、複数の部品から構成される取付金具においては、これら部品がより組み付け易いことが、作業効率の観点から好ましい。また、複数のボルトを用いて取付金具を固定するよりも、ボルトを１本だけ用いて取付金具を固定する方が、作業効率の観点から好ましい。作業効率が高いことは、高所での作業において、安全性向上に寄与する。
本発明は、施工性を向上させた太陽電池モジュール取付金具及び固定具を提供することを目的とする。
【課題を解決するための手段】
【０００６】
前記目的に沿う第１の発明に係る太陽電池モジュール取付金具は、屋根板のはぜ部に固定され、太陽電池モジュールを取り付けるための太陽電池モジュール取付金具において、
前記はぜ部の上方に配置され、角孔である第１の孔が形成された内側ベース部、及び該内側ベース部に設けられ、外側から加えられた力により先端部が閉じて前記はぜ部を挟み込む挟持部を有し、前記内側ベース部及び前記挟持部が一体に形成された内側金具と、
前記内側ベース部の上方に設けられ、前記太陽電池モジュールのフレームを支持し、第２の孔が形成された外側ベース部、及び該外側ベース部に設けられ、前記挟持部の外側に接触して前記力を発生する接触部を有する外側金具と、を備え、
前記内側ベース部及び前記外側ベース部が互いに近づく方向に力を発生する締結体によって、前記はぜ部に固定され、
前記締結体が、前記第１の孔から前記第２の孔に向かって挿入された角根ボルト及び該角根ボルトに対応するナットを有する。
【０００７】
第１の発明に係る太陽電池モジュール取付金具において、
前記挟持部は、前記内側ベース部から先端に向かうに従って互いの間隔が徐々に広くなる２枚の側板、及び該各側板の先端の縁部が内側に折り曲げられて形成された挟持板とを有し、該挟持板の先端の端面が前記はぜ部に接触できる。
【０００８】
第１の発明に係る太陽電池モジュール取付金具において、
前記外側金具は、前記接触部の先端に、外側に突出し、前記屋根板に接触する接地部を更に有することが好ましい。
【０００９】
【００１０】
【００１１】
第１の発明に係る太陽電池モジュール取付金具において、
前記外側ベース部の上に載り、前記角根ボルトが貫通する第３の孔が形成され、前記ナットによって該外側ベース部に固定され、前記太陽電池モジュールのフレームを位置決めするための第１の位置決め部が形成された位置決め金具を更に有していてもよい。
【００１２】
第１の発明に係る太陽電池モジュール取付金具において、
前記外側ベース部に、前記太陽電池モジュールのフレームを位置決めするための第２の位置決め部が形成されていてもよい。
【００１３】
第１の発明に係る太陽電池モジュール取付金具において、
前記太陽電池モジュールのフレームを上から押さえる押さえ金具を更に有し、
前記押さえ金具に、前記角根ボルトが貫通する第４の孔が形成されていてもよい。
【００１４】
前記目的に沿う第２の発明に係る固定具は、屋根板から突出した突起部に固定され、該屋根板上に設置される設置物を固定するための固定具において、
前記突起部の上方に配置され、角孔である第１の孔が形成された内側ベース部、及び該内側ベース部に設けられ、外側から加えられた力により先端部が閉じて前記突起部を挟み込む挟持部を有し、前記内側ベース部及び前記挟持部が一体に形成された内側金具と、
前記内側ベース部の上方に設けられ、第２の孔が形成された外側ベース部、及び該外側ベース部に設けられ、前記挟持部の外側に接触して前記力を発生する接触部を有する外側金具と、を備え、
前記内側ベース部及び前記外側ベース部が互いに近づく方向に力を発生する締結体によって、前記突起部に固定され、
前記締結体が、前記第１の孔から前記第２の孔に向かって挿入された角根ボルト及び該角根ボルトに対応するナットを有する。
【発明の効果】
【００１５】
請求項１〜６記載の太陽電池モジュール取付金具においては、内側ベース部及び外側ベース部が互いに近づく方向に力を発生する締結体により内側金具及び外側金具を固定できるので、施工性が向上する。
【００１６】
特に、請求項３記載の太陽電池モジュール取付金具においては、外側金具が接地部を有しているので、外側金具がより安定して固定される。
【００１７】
【００１８】
【００１９】
また、請求項４記載の太陽電池モジュール取付金具においては、第１の位置決め部が形成された位置決め金具を有しているので、太陽電池モジュールの位置決めが容易となる。
【００２０】
また、請求項５記載の太陽電池モジュール取付金具においては、外側ベース部に第２の位置決め部が形成されているので、太陽電池モジュールの位置決めが容易となる。
【００２１】
請求項７記載の固定具においては、締結体により内側金具及び外側金具を固定できるので、施工性が向上する。
【図面の簡単な説明】
【００２２】
【図１】本発明の一実施の形態に係る太陽電池モジュール取付金具の取り付け状態を示す斜視図である。
【図２Ａ】同太陽電池モジュール取付金具の取り付け状態を示す断面図である。
【図２Ｂ】同太陽電池モジュール取付金具の取り付け状態を示す側面図である。
【図３】同太陽電池モジュール取付金具のはぜ部に取り付ける前の状態を示す断面図である。
【図４】内側金具、外側金具、位置決め金具、及び押さえ金具を上下方向に展開して示した分解図である。
【図５】内側金具の取り付け前の状態を示す斜視図である。
【図６】外側金具の変形例を示す斜視図である。
【発明を実施するための形態】
【００２３】
続いて、添付した図面を参照しつつ、本発明を具体化した実施の形態につき説明し、本発明の理解に供する。なお、各図において、説明に関連しない部分は図示を省略する場合がある。
【００２４】
本発明の一実施の形態に係る太陽電池モジュール取付金具（固定具の一例）１０は、図１に示すように、太陽電池モジュール（設置物の一例）ＳＰをはぜ部（突起部）１２が形成された屋根板１４に取り付けることができる。
【００２５】
太陽電池モジュール取付金具１０は、図２Ａ及び図２Ｂに示すように、内側金具２０と、内側金具２０の外側を覆うように配置される外側金具４０と、を備えている。内側金具２０及び外側金具４０は、締結体５０によって締め付けられる。
内側金具２０は、図４に示すように、内側ベース部２０２及び挟持部２０４を有している。これら内側ベース部２０２及び挟持部２０４は、一枚の板材が折り曲げられて、一体に形成されている。
内側ベース部２０２は、はぜ部１２の上方に配置され、その形状は、平面視して矩形状である。内側ベース部２０２の中央部には、第１の孔Ｈ１が形成されている。この第１の孔Ｈ１は例えば角孔である。
【００２６】
挟持部２０４は、内側ベース部２０２の端部に形成され、外側から加えられた力により先端部が閉じてはぜ部１２を挟み込むことができる。詳細には、挟持部２０４は、内側ベース部２０２から先端に向かうに従って互いの間隔が徐々に広くなる２枚の側板２１０、及び各側板２１０の先端の縁部が内側に折り曲げられて形成された挟持板２１２とを有している。したがって、各側板２１０の外側から力が加えられると、図５に示すように、各側板２１０の根元部（側板２１０と内側ベース部２０２との境界部）が撓み、対向する挟持板２１２の先端の間隔が狭くなる。
【００２７】
外側金具４０は、図４に示すように、外側ベース部４０２、接触部４０４、及び接地部４０６を有している。これら外側ベース部４０２、接触部４０４、及び接地部４０６は、一枚の板材が折り曲げられて、一体に形成されている。
外側ベース部４０２は、内側ベース部２０２の上方に設けられ、太陽電池モジュールＳＰの周囲に設けられたフレームＦ（図１及び図２Ｂ参照）を支持できる。外側ベース部４０２の中央部には、第２の孔Ｈ２が形成されている。この第２の孔Ｈ２は例えば角孔である。
接触部４０４は、外側ベース部４０２の両端部に設けられ、内側金具２０の挟持部２０４の外側に接触して力を発生する。
接地部４０６は、接触部４０４の先端に、外側に突出して設けられ、屋根板１４に接触する。
【００２８】
締結体５０は、図２Ａ及び図２Ｂに示すように、内側金具２０の内側ベース部２０２及び外側金具４０の外側ベース部４０２が互いに近づく方向に力を発生し、内側金具２０及び外側金具４０を締め付けることができる。
締結体５０は、例えば、角根ボルト（ボルトの一例）５０２及び角根ボルト５０２に対応するナット５０４を有している。角根ボルト５０２は、内側ベース部２０２に形成された第１の孔Ｈ１から外側ベース部４０２に形成された第２の孔Ｈ２に向かって挿入され、角根部分が第１の孔Ｈ１に嵌り合う。ナット５０４は、図２Ａ及び図２Ｂに示すように、後述する位置決め金具７０を介して角根ボルト５０２に締め付けられる。
【００２９】
太陽電池モジュール取付金具１０は、位置決め金具７０及び押さえ金具８０を更に備えている。
位置決め金具７０は、図４に示すように、一枚の板材の両端部が上向きに折り曲げられて第１の位置決め部７０２が形成されている。第１の位置決め部７０２により、太陽電池モジュールＳＰのフレームＦを屋根板１４の表面に沿う方向（太陽電池モジュールＳＰの受光面に沿う方向）に位置決めできる。平面視して、位置決め金具７０の中央部には、角根ボルト５０２が貫通する第３の孔Ｈ３が形成されている。位置決め金具７０は、図２Ａ及び図２Ｂに示すように、外側金具４０の外側ベース部４０２の上に載り、第３の孔Ｈ３を通る角根ボルト５０２及びナット５０４によって外側ベース部４０２に固定されている。
【００３０】
押さえ金具８０は、図２Ｂに示すように、太陽電池モジュールＳＰのフレームＦの上面を上から押さえることができる。詳細には、押さえ金具８０は、図４に示すように、一枚の板材の両端部が折り曲げられて、フレームＦを押さえる押さえ部８０２が形成されている。また、平面視して、押さえ金具８０の中央部には、角根ボルト５０２が貫通する第４の孔Ｈ４が形成されている。
押さえ金具８０は、図２Ｂに示すように、第４の孔Ｈ４を通る角根ボルト５０２及びナット５０６によって固定される。
【００３１】
次に、太陽電池モジュール取付金具１０を使用した、太陽電池モジュールＳＰの取り付け方法ついて説明する。
太陽電池モジュールＳＰは、以下のステップが実行されることによって、屋根板１４に取り付けられる。
【００３２】
（ステップＳ１）
所定の位置にて、はぜ部１２に内側金具２０を覆いかぶせる。なお、角根ボルト５０２は、予め角根部が第１の孔Ｈ１に嵌るように挿入しておく。角根ボルト５０２の角根部が第１の孔（角孔）Ｈ１に嵌っているので、後述のステップＳ３にてナット５０４を締め付ける際に角根ボルト５０２の回転が抑制され、施工性が向上する。
【００３３】
（ステップＳ２）
角根ボルト５０２を外側金具４０の第２の孔Ｈ２に通し、外側金具４０を、内側金具２０に載せる。
【００３４】
（ステップＳ３）
位置決め金具７０を介してナット５０４を角根ボルト５０２に締め付ける。ナット５０４を締め付けるにしたがって、内側金具２０の内側ベース部２０２と外側金具４０の外側ベース部４０２の距離Ｄ（図３参照）が縮まると共に、内側金具２０の各側板２１０の根元部が撓み、各側板２１０の下端部が外側金具４０の接触部４０４よって外側から押される。その結果、内側金具２０が有する挟持部２０４の対向する挟持板２１２の間隔が狭くなり、はぜ部１２の根元を挟み込む。
外側金具４０の接地部４０６は、図２Ａに示すように、屋根板１４に接触した状態となる。このように、屋根板１４の表面に接触する接地部４０６が設けられているので、外側金具４０は、より安定して固定される。
【００３５】
（ステップＳ４）
太陽電池モジュールＳＰを取り付ける。詳細には、太陽電池モジュールＳＰのフレームＦの端面Ａ（図１参照）を位置決め金具７０の第１の位置決め部７０２に突き当てて位置決めし、フレームＦを外側金具４０の外側ベース部４０２の上面に載せる。
【００３６】
（ステップＳ５）
ナット５０６を締め付けて押さえ金具８０をフレームＦの上から固定する。
【００３７】
以上のステップＳ１〜Ｓ５が実行されることによって、太陽電池モジュールＳＰが、はぜ部１２を有する屋根板１４に取り付けられる。
【００３８】
このように、太陽電池モジュール取付金具１０は、上方から工具を入れて１つのナット５０４を締め付けるだけで、はぜ部１２に固定されるので、施工性に優れる。また、このナット５０４を緩めれば、内側金具２０及び外側金具４０をはぜ部１２が延びる方向にずらすことができるので、太陽電池モジュール取付金具１０の取り付け位置の修正も容易である。
【００３９】
本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００４０】
前述の実施の形態においては、角根ボルト５０２をナット５０４で締め付けていたが、これに限定されるものではない。例えば、角根ボルトに代えて、下端部が外側金具の外側ベース部に溶接された、上下方向に延びるスタッドボルトとしてもよい。
【００４１】
また、図６に示すように、外側金具４０ａの外側ベース部４０２ａの端部に、上方に折り曲げられた第２の位置決め部７０２ａを形成することも可能である。この第２の位置決め部７０２ａにフレームＦの突起部Ｂ（図１参照）を突き当て、太陽電池モジュールＳＰのフレームＦを位置決めすることによって、第１の位置決め部が形成された位置決め金具を削減できる。すなわち、位置決め金具に代えて、第２の位置決め部が形成された外側金具としてもよい。
【符号の説明】
【００４２】
１０：太陽電池モジュール取付金具、１２：はぜ部、１４：屋根板、２０：内側金具、４０：外側金具、４０ａ：外側金具、５０：締結体、７０：位置決め金具、８０：押さえ金具、Ｈ１：第１の孔、Ｈ２：第２の孔、Ｈ３：第３の孔、Ｈ４：第４の孔、２０２：内側ベース部、２０４：挟持部、２１０：側板、２１２：挟持板、４０２：外側ベース部、４０２ａ：外側ベース部、４０４：接触部、４０６：接地部、５０２：角根ボルト、５０４、５０６：ナット、７０２：第１の位置決め部、７０２ａ：第２の位置決め部、８０２：押さえ部、ＳＰ：太陽電池モジュール、Ｆ：フレーム
【要約】
【課題】施工性を向上させた太陽電池モジュール取付金具及び固定具を提供する。
【解決手段】  屋根板１４のはぜ部１２に固定され、太陽電池モジュールＳＰを取り付けるための太陽電池モジュール取付金具１０において、はぜ部１２の上方に配置される内側ベース部２０２、及び内側ベース部２０２に設けられ、外側から加えられた力により先端部が閉じてはぜ部１２を挟み込む挟持部２０４を有し、内側ベース部２０２及び挟持部２０４が一体に形成された内側金具２０と、内側ベース部２０２の上方に設けられ、太陽電池モジュールＳＰのフレームＦを支持する外側ベース部４０２、及び外側ベース部４０２に設けられ、挟持部２０４の外側に接触して力を発生する接触部４０４を有する外側金具４０と、を備え、内側ベース部２０２及び外側ベース部４０２が互いに近づく方向に力を発生する締結体５０によって、はぜ部１２に固定される。
【選択図】図２Ａ【図１】
0005200176.tif 000002
【図２Ａ】
0005200176.tif 000003
【図２Ｂ】
0005200176.tif 000004
【図３】
0005200176.tif 000005
【図４】
0005200176.tif 000006
【図５】
0005200176.tif 000007
【図６】
0005200176.tif 000008